(57)【要約】【課題】生きた釣り餌を誘導して収納することができると共に、釣り餌を生きた状態で長く保存、且つ、携帯でき、更に、釣り餌を取り出し易い釣り餌ケースを提供する。【解決手段】底板部２と、左右側板部３，４と、後板部６と、折曲自在に延設される前板部５と、開閉自在の蓋板部７とを備え、組立時に直方体に形成される釣り餌ケース１であって、蓋板部７の先端には先端延設部１３が折曲自在に延設され、蓋板部７の後端には後延設部１５が折曲自在に延設され、蓋板部７の前端には前延設部１４が折曲自在に延設され、前延設部１４の先端には係止板部１６が折曲自在に延設され、左右側板部３，４と前後板部５，６とで規制されるスペースには、釣り餌ケース１内を左右側板部３，４に平行する複数の溝に区画する区画体１７が設けられ、蓋板部７、後延設部１５、前延設部１４及び前後板部５，６にスリット状の長孔１８，１８…が開穿されている。【選択図】図１
2008183001.tif 000002
【特許請求の範囲】
【請求項１】
底板部と、前記底板部の左右側端から立設する左右側板部と、前記底板部の後端から立設する後板部と、前記底板部の前端から該前端で折曲自在に延設される前板部と、前記左側板部の上端から該上端で折曲自在に延設され、前記左右側板部及び前後板部の上方を開閉自在の蓋板部とを備え、組立時に直方体に形成される釣り餌ケースであって、
前記前板部の左右端には、前記左右側板部の内側に嵌入させる左右嵌入片が夫々該左右端で折曲自在に延設され、前記蓋板部の先端には前記右側板部の内側に嵌入させる先端延設部が該先端で折曲自在に延設され、前記蓋板部の後端には前記後板部の内側に嵌入させる後延設部が該後端で折曲自在に延設され、前記蓋板部の前端には前記前板部の外側面を被包する前延設部が該前端で折曲自在に延設され、前記前延設部の先端には前記底板部の下側面に係止する係止板部が該先端で折曲自在に延設され、前記左右側板部と前後板部とで規制されるスペースには、釣り餌ケース内を前記左右側板部に平行する複数の溝に区画する区画体が設けられ、前記蓋板部、前記後延設部、前記前延設部及び前記前後板部の少なくとも一つに釣り餌ケース内に通水するためのスリット状の長孔が開穿されていることを特徴とする釣り餌ケース。
【請求項２】
前記係止板部は、粘着剤によって前記底板部の下側面に係止するように構成されていることを特徴とする請求項１記載の釣り餌ケース。
【請求項３】
前記区画体は、底板と、前記底板から前記左右側板部に平行して立設する複数のリブとを備えることを特徴とする請求項１又は２記載の釣り餌ケース。
【請求項４】
前記釣り餌ケースは、所定の可撓性を有する硬性のプラスチックで形成されることを特徴とする請求項１乃至３のうちいずれか一に記載の釣り餌ケース。
【発明の詳細な説明】
【技術分野】
【０００１】
本発明は、生きた釣り餌を誘導して釣り餌ケース内に収納することができると共に、生きた釣り餌を携帯できる釣り餌ケースに関するものである。
【背景技術】
【０００２】
此種従来の釣り餌ケースとして、種々の形態の釣り餌ケースが知られている。
例えば、釣り餌を携帯できるように小型化したもの、餌を取り出しやすくするために開閉する蓋を取付けたもの、引き出し状に開閉するもの、異なる餌を収納できるように釣り餌ケース内を区画したもの等が知られている。
【０００３】
又、先行文献として、例えば、特許文献１には、釣り餌用容器本体内を着脱可能な仕切り板によって複数の釣り餌収納部に区画形成し、夫々の釣り餌収納部に異なる釣り餌を分離した状態に収納しておくことができる釣り餌用容器が記載されている。
【０００４】
又、特許文献２には、容器本体の深さよりも小である高さの巣枠体を用意し、容器本体の底面から持ち上げた状態で、多数の巣穴を有する巣枠体を配置した釣り用生き餌容器が記載されている。
【特許文献１】特開２００２−８４９５３号公報
【特許文献２】特開２０００−２８７５９８号公報
【発明の開示】
【発明が解決しようとする課題】
【０００５】
前述したように、釣り餌ケースとして、種々の形態のものが知られており、それらは、適宜、利便性を向上させた形態に形成され、更に、釣り餌を生きた状態で保存するなど釣り餌にあわせた工夫も施されている。
【０００６】
然しながら、例えば、オキアミ等を釣り餌として用いる場合、生きた釣り餌を誘導して効率良く釣り餌ケース内に収納することができると共に、釣り餌を生きた状態で長く保存でき、且つ、携帯できる釣り餌ケースが望まれているが、そのような釣り餌ケースはまだ知られていない。
【０００７】
以上の現状に鑑み、本発明は、生きた釣り餌を誘導して収納することができると共に、釣り餌を生きた状態で長く保存、且つ、携帯でき、更に、釣り餌を取り出し易い釣り餌ケースを提供することを目的とする。
【課題を解決するための手段】
【０００８】
上記の課題を解決すべく、本発明は以下の構成を提供する。
請求項１に係る発明は、底板部と、前記底板部の左右側端から立設する左右側板部と、前記底板部の後端から立設する後板部と、前記底板部の前端から該前端で折曲自在に延設される前板部と、前記左側板部の上端から該上端で折曲自在に延設され、前記左右側板部及び前後板部の上方を開閉自在の蓋板部とを備え、組立時に直方体に形成される釣り餌ケースであって、
前記前板部の左右端には、前記左右側板部の内側に嵌入させる左右嵌入片が夫々該左右端で折曲自在に延設され、前記蓋板部の先端には前記右側板部の内側に嵌入させる先端延設部が該先端で折曲自在に延設され、前記蓋板部の後端には前記後板部の内側に嵌入させる後延設部が該後端で折曲自在に延設され、前記蓋板部の前端には前記前板部の外側面を被包する前延設部が該前端で折曲自在に延設され、前記前延設部の先端には前記底板部の下側面に係止する係止板部が該先端で折曲自在に延設され、前記左右側板部と前後板部とで規制されるスペースには、釣り餌ケース内を前記左右側板部に平行する複数の溝に区画する区画体が設けられ、前記蓋板部、前記後延設部、前記前延設部及び前記前後板部の少なくとも一つに釣り餌ケース内に通水するためのスリット状の長孔が開穿されていることを特徴とする釣り餌ケースを提供するものである。
【０００９】
請求項２に係る発明は、前記係止板部は、粘着剤によって前記底板部の下側面に係止するように構成されていることを特徴とする請求項１記載の釣り餌ケースを提供するものである。
【００１０】
請求項３に係る発明は、前記区画体は、底板と、前記底板から前記左右側板部に平行して立設する複数のリブとを備えることを特徴とする請求項１又は２記載の釣り餌ケースを提供するものである。
【００１１】
請求項４に係る発明は、前記釣り餌ケースは、所定の可撓性を有する硬性のプラスチックで形成されることを特徴とする請求項１乃至３のうちいずれか一に記載の釣り餌ケースを提供するものである。
【発明の効果】
【００１２】
本発明の請求項１記載の発明によれば、生きた釣り餌を誘導して収納することができると共に、釣り餌を生きた状態で長く保存、且つ、携帯でき、更に、釣り餌を取り出し易い釣り餌ケースを提供することができる。
【００１３】
請求項２記載の発明によれば、係止板部が、粘着剤によって底板部の下側面に係止するように構成されているので、係止板部を容易に底板部の下側面に係止させることができると共に、取り外しも容易である。
【００１４】
請求項３記載の発明によれば、区画体は、底板と、底板から左右側板部に平行して立設する複数のリブとで構成されているので、簡素な構成で釣り餌ケース内を区画することができると共に、区画体は取外し自在にすることができ、且つ、区画体を安価に制作できる。
【００１５】
請求項４記載の発明によれば、釣り餌ケースは、所定の可撓性を有する硬性のプラスチックで形成されるので、ケースの剛性を維持できると共に、耐水性及び水密性があり、釣り餌ケース内に水を貯留することが可能である。
【発明を実施するための最良の形態】
【００１６】
以下、実施例を示した図面を参照しつつ本発明の実施の形態を説明する。
図１に於いて、１は、本発明の釣り餌ケースであり、釣り餌ケース１は、所定の可撓性を有する硬性のプラスチックで形成され、底板部２と、底板部２の左右側端から立設する左右側板部３，４と、底板部２の後端から立設する後板部６と、底板部２の前端から該前端で折曲自在に延設される前板部５と、左側板部３の上端から該上端で折曲自在に延設され、左右側板部３，４及び前後板部５，６の上方を開閉自在の蓋板部７とを備え、組立時に直方体に形成される釣り餌ケース１である。
尚、前記釣り餌ケース１は、硬性のプラスチックで形成されるが、例えば、防水加工を施した紙材料で形成されても良い。
【００１７】
そして、前記前板部５の左右端には、左右側板部３，４の内側に嵌入させる左右嵌入片１１，１２が該左右端で夫々折曲自在に延設され、蓋板部７の先端には右側板部４の内側に嵌入させる先端延設部１３が該先端で折曲自在に延設され、蓋板部７の後端には後板部６の内側に嵌入させる後延設部１５が該後端で折曲自在に延設され、蓋板部７の前端には前板部５の外側面を被包する前延設部１４が該前端で折曲自在に延設され、前延設部１４の先端には底板部２の下側面に係止する係止板部１６が該先端で折曲自在に延設されている。
【００１８】
更に、左右側板部３，４と前後板部５，６とで規制されるスペースには、釣り餌ケース１内を左右側板部３，４に平行する複数の溝に区画する区画体１７が設けられ、蓋板部７、後延設部１５、前延設部１６及び前後板部５，６には、釣り餌ケース１内に通水するためのスリット状の長孔１８，１８…が適宜開穿されている。長孔１８の幅は、釣り餌が出ないような大きさに形成される。
【００１９】
前記前板部５及び蓋板部７が閉じた状態で釣り餌ケース１内に通水されるように、前板部５の長孔１８と、前延設部１４の長孔１８とは、前記前板部５及び蓋板部７が閉じた状態で同位置に重なるように形成され、同様に、後板部６の長孔１８と、後延設部１５の長孔１８とは、蓋板部７が閉じた状態で同位置に重なるように形成されている。
【００２０】
前記係止板部１６は、粘着剤１９によって底板部２の下側面に係止するように構成されている。粘着剤１９は、予め係止板部１６の裏面に固着されているが、反対に、底板部２の下側面に予め固着されていても良い。
【００２１】
前記区画体１７は、底板２１と、底板２１から左右側板部３，４に平行して立設する複数のリブ２２，２２…とで構成されており、隣接するリブ２２，２２間、及び、左右側板部３，４とリブ２２，２２との間に長溝を形成している。前延設部１４及び前板部５が開放された時、前記長溝の一端側が外方に向かって開放するように形成されている。
【００２２】
而して、前記釣り餌ケース１の使用方法について説明する。
図１に示すように、釣り餌ケース１の前板部５と、蓋板部７とが開いた状態にある場合は、先ず、前板部５の左右嵌入片１１，１２を前板部５の左右端で前板部５に対して直角に折曲し、左右嵌入片１１，１２の先端部を左右側板部３，４の内側に嵌入させながら前板部５を底板部２の前端で底板部２に直角に折曲して立設させる。
【００２３】
そして、蓋板部７の先端延設部１３及び後延設部１５を右側板部４及び後板部６の内側に夫々嵌入させ、前延設部１４が前板部５の外側面を被包するように蓋板部７を左側板部３の上端で折曲して蓋板部７を閉じ、係止板部１６の粘着剤１９を底板部２の下側面に粘着させて係止板部１６を底板部２に係止すると、釣り餌ケース１は完全に組立てられる。
【００２４】
次に、前記釣り餌ケース１を用いて、オキアミ等の生きた釣り餌を釣り餌ケース１内に誘導する場合は、図２に示すように、前記係止板部１６の係止を外し、係止板部１６を前延設部１４と平行となるように開き、前延設部１４を蓋板部７と平行になるように開く。
更に、前板部５を底板部２と平行になるように開き、左右嵌入片１１，１２を前板部５と平行になるように開く。
【００２５】
そして、オキアミ等の生きた釣り餌を水内に収納する容器（図示せず）の水の中に、図２のように前延設部１４及び前板部５が開いた状態の釣り餌ケース１を浸漬しておくと、オキアミ等の生きた釣り餌は、穴に入る習性があるため、誘導されて前延設部１４及び前板部５部分の開口部から、区画体１７によって区画された溝内に入り込む。
【００２６】
一定量の釣り餌が区画体１７の溝内に入り込み収納されたら、区画体１７の溝内に水を収納した状態で、前述と同様にして、図３に示す如く、前板部５及び前延設部１４を閉じ、係止板部１６を底板部２の下側面に係止する。釣り餌ケース１は所定の可撓性を有する硬質プラスチックで形成され、前記前板部５は、左右嵌入片１１，１２を左右側板部３，４の内側に嵌入させた状態で閉じられるので、溝内の水は漏洩することなく貯留される。
【００２７】
この状態で長孔１８，１８…は、オキアミ等の生きた釣り餌が吐き出すヘドロを排出する排出口、或いは、釣り餌ケース１を水中に入れた時、水を流通させる通水口として利用される。
【００２８】
釣り餌を取り出す場合は、前記係止板部１６の係止を外し、図１に示すように、蓋板部７を開く。この時は、前板部５は開かず閉じた状態を維持する。但し、釣り餌をまとめて取り出す場合は、前板部５を開いて、取り出すことも可能である。
【００２９】
尚、釣り餌はオキアミに限定されず、他の釣り餌、例えば、岩虫、青虫等を収納することも可能であり、水中に棲息しない釣り餌の場合は、釣り餌ケース１を水中に浸漬することなく、釣り餌を釣り餌ケース１に誘導する。又、釣り餌を誘導することなく、直接、収納することも可能である。
又、図２に於いて、２３は、釣り餌ケース１を識別したり、釣り餌ケース１内の釣り餌の内容又は状態を情報として記録するため前記蓋板部７の上面に適宜設けられるＩＣタグである。
【図面の簡単な説明】
【００３０】
【図１】本発明による釣り餌ケースを開いた状態を示す斜視図である。
【図２】本発明による釣り餌ケースの前端部を開いた状態を示す斜視図である。
【図３】本発明による釣り餌ケースを閉じた状態を示す斜視図である。
【符号の説明】
【００３１】
１  釣り餌ケース
２  底板部
３  左側板部
４  右側板部
５  前板部
６  後板部
７  蓋板部
１１  左嵌入片
１２  右嵌入片
１３  先端延設部
１４  前延設部
１５  後延設部
１６  係止板部
１７  区画体
１８  長孔
１９  粘着剤
２１  底板
２２  リブ
【図１】
2008183001.tif 000003
【図２】
2008183001.tif 000004
【図３】
2008183001.tif 000005